(57)【要約】【課題】首が後方に曲がることを抑制し、頭部の傾倒角度を問わず、首の負担を軽減できる頭部支持補助具を提供する。【解決手段】首支持面11は、作業者の首背面221に宛てがうと前記首背面221に倣って主に左右に弾性変形する弾性樹脂板で、掛け回し面12は、首背面221に宛てがわれた首支持面11から首前面222にかけて首周りに宛てがうと前記首周りに倣って主に上下に弾性変形する弾性樹脂板で、前記首前面222下方で突き合わさる又は重ねられる端部を着脱自在にしてなり、首支持面11を首背面221に宛てがった状態で、首周りに宛てがった掛け回し面12,12を作業者２と前記作業者２が着用する作業着24とで挟むことにより、前記首背面221に宛てがった状態で位置固定された首支持面11により首22が後方に曲がることを抑制する頭部支持補助具１である。【選択図】図９
2016056458.tif 000002
【特許請求の範囲】
【請求項１】
首支持面と、前記首支持面から延びる左右一対の掛け回し面とから構成され、
首支持面は、作業者の首背面に宛てがうと前記首背面に倣って主に左右に弾性変形する弾性樹脂板で、
掛け回し面は、首背面に宛てがわれた首支持面から首前面にかけて首周りに宛てがうと前記首周りに倣って主に上下に弾性変形する弾性樹脂板で、前記首前面下方で突き合わさる又は重ねられる端部を着脱自在にしてなり、
首支持面を首背面に宛てがった状態で、首周りに宛てがった掛け回し面を作業者と前記作業者が着用する作業着とで挟むことにより、前記首背面に宛てがった状態で位置固定された首支持面により首が後方に曲がることを抑制する頭部支持補助具。
【請求項２】
首支持面及び掛け回し面は、一体の弾性樹脂板であり、首背面に宛てがった首支持面の左右両端を捻って掛け回し面を首周りに宛てがう請求項１記載の頭部支持補助具。
【請求項３】
首支持面は、多数の開口を設けた請求項１又は２いずれか記載の頭部支持補助具。
【請求項４】
首支持面は、保冷剤又は保温剤を着脱自在にした請求項１〜３いずれか記載の頭部支持補助具。
【請求項５】
掛け回し面は、作業者の首周りから肩に向かって張り出す弾性樹脂板である緩衝面を設けた請求項１〜４いずれか記載の頭部支持補助具。
【請求項６】
掛け回し面は、一方の端部に掛合突起、他方の端部に掛合孔を設け、前記掛合突起を掛合孔に差し込む又は抜き取ることにより前記端部を着脱自在にした請求項１〜５いずれか記載の頭部支持補助具。
【発明の詳細な説明】
【技術分野】
【０００１】
本発明は、見上げる際に首が後方に曲がることを抑制する頭部支持補助具に関する。
【背景技術】
【０００２】
高層物の建築現場や巨大な製造ライン等で働く作業者は、頻繁に上方を見上げたり、上方を見上げる姿勢を長時間維持することがあり、首に過度な負担を与えることが少なくない。そして、過度な負担が与えられた首は、作業者に疲労感をもたらすだけでなく、首や肩の凝りを引き起こし、場合によって健康障害をもたらす。こうした首の負担による問題は、見上げる際、首が全体的に後方に曲がり、曲がった状態の首で後方に倒れた頭部を支持しようとすることに起因する。そこで、後方に倒れる頭部を首と共に支持する頭部支持補助具が提案されている（特許文献１及び特許文献２）。
【０００３】
特許文献１が開示する頭部支持補助具は、後頭部側の連設部と、前記連設部から延在する延在部と、前記延在部に連続して作業者の肩間に突き当たる突当部とを備えた作業用ヘルメットである（特許文献１・［0010］）。特許文献１が開示する作業用ヘルメットは、作業者が上方を仰ぎ見る際、後頭部側の連設部から連続する突当部が作業者の肩間に突き当たり、作業用ヘルメットを介して作業者の頭部を支持すことにより、上方を仰ぎ見る際の頭部や作業用ヘルメットの重量を首だけでなく肩にも支持させて、首への負担を軽減する（特許文献１・［0011］［0012］）。
【０００４】
特許文献２が開示する頭部支持補助具は、後頭部を支える物で肩から背中にかけて背負う視点上向き時支首装置である（特許文献２・［請求項１］［0002］）。特許文献２が開示する視点上向き時支首装置は、肩掛けベルトを設け、上面に支首部を設けた背当てを背負い、前記支首部により後方に傾く頭部を支持する。支首部をエアーマットとしたり、背当てに対してリーフスプリングを介して支首部を支持させることにより、前記支首部に弾力性を付与し、後方に傾く頭部の圧力が異なる子供から大人まで対応できるようにしている。
【先行技術文献】
【特許文献】
【０００５】
【特許文献１】特開2012-082558公報
【特許文献２】特開2008-038317公報
【発明の概要】
【発明が解決しようとする課題】
【０００６】
特許文献１が開示する頭部支持補助具（作業用ヘルメット）は、延在部の先端である突当部が肩間に突き当たって初めて頭部が支持されるまで頭部を支持する部位が首のみであり、後方に曲がる首への負担を軽減できない。また、作業者の頭部は、作業用ヘルメットの装着具合によって支持の安定性が左右されるため、突当部が肩間に突き当たった状態であったとしても、作業用ヘルメットに対して頭部がずれると、やはり後方に曲がる首の負担が発生する。
【０００７】
特許文献２が開示する頭部支持補助具（視点上向き時支首装置）も、上記特許文献１が開示する頭部支持補助具同様、支首部に頭部が当たるまで頭部を支持する部位が首のみであり、後方に曲がる首への負担を軽減できない。また、支首部は、背中に背負った背当てに支持され、背当てが肩掛けベルトを介して肩に支持されるため、肩掛けベルトが緩いと、背当てが動き、結果として首支部がずれて、やはり後方に曲がる首の負担が発生する。
【０００８】
このように、従来の頭部支持補助具は、頭部が一定角度以上に傾倒して初めて首と共に頭部を支持するほか、作業ヘルメットや背当てが位置ずれし、安定して頭部を支持できなくなり、首の負担を軽減できない問題があった。また、そもそも首が後方に曲がることを許容しているので、仮に頭部が別部材で支持されていても、首が後方に曲がることによる負担が軽減されない。そこで、首が後方に曲がることを抑制し、頭部の傾倒角度を問わず、首の負担を軽減できる頭部支持補助具を開発するべく、検討した。
【課題を解決するための手段】
【０００９】
検討の結果開発したものが、首支持面と、前記首支持面から延びる左右一対の掛け回し面とから構成され、首支持面は、作業者の首背面に宛てがうと前記首背面に倣って主に左右に弾性変形する弾性樹脂板で、掛け回し面は、首背面に宛てがわれた首支持面から首前面にかけて首周りに宛てがうと前記首周りに倣って主に上下に弾性変形する弾性樹脂板で、前記首前面下方で突き合わさる又は重ねられる端部を着脱自在にしてなり、首支持面を首背面に宛てがった状態で、首周りに宛てがった掛け回し面を作業者と前記作業者が着用する作業着とで挟むことにより、前記首背面に宛てがった状態で位置固定された首支持面により首が後方に曲がることを抑制する頭部支持補助具である。
【００１０】
本発明の頭部支持補助具は、後方に傾いた頭部を支えることを補助するのではなく、首背面に宛てがった首支持面で首が後方に曲がることを抑制し、後方に傾いた頭部の直下に曲がらない首を位置させて前記頭部を支持し、首の負担を軽減する。首周りは、首背面下部、首側面下部及び首前面下部を繋げた首の付け根の回りで、首背面下部は背中と、首側面下部は肩と、そして首前面下部は胸と連続する。掛け回し面は、端部を連結させて首周りにわたって作業者と作業着とに挟まれる。首支持面は、作業者と作業着とに挟まれた掛け回し面を介して位置固定され、首背面に宛てがった状態を安定して維持する。
【００１１】
首支持面は、主に左右に弾性変形して首背面に添いながら密着し、前後の弾性変形が抑制されることにより、首が後方に曲がることを抑制する。ここで、弾性樹脂板で構成された首支持面は、前述の通り、前後の弾性変形が抑制されるものの、前記前後にも僅かに湾曲して首が後方へ僅かに曲がることを許容する。また、首支持面は、左右に弾性変形するため、前記左右を含む斜め方向に首が傾くことも許容する。このように、首支持面は、首が後方に曲がることだけを抑制し、首の自由度を過度に制限しない。
【００１２】
掛け回し面は、主に上下に弾性変形して首周りに倣いながら添い、頭部支持補助具を装着する作業者と前記作業者が着用する作業着との間に挟まれ、位置固定される。作業者が肌の上に直接作業着を着る場合、掛け回し面は前記肌と作業着に挟まれ、作業着との摩擦により動きが抑制又は防止される。作業者は、通常インナーシャツを着用しているため、掛け回し面は前記インナーシャツと作業着に挟まれ、インナーシャツ及び作業着との摩擦により動きがよりよく抑制又は防止される。これから、掛け回し面の表面は、摩擦力が大きくなる粗雑面が好ましい。
【００１３】
首支持面及び掛け回し面は、一体の弾性樹脂板であり、首背面に宛てがった首支持面の左右両端を捻って掛け回し面を首周りに宛てがうとよい。首支持面及び掛け回し面は、両者を別体として連結した構成にしてもよいが、両者を一体の樹脂板で構成すると、首支持面の左右両端を捻って掛け回し面を首周りに宛てがうことになる。これにより、左右に湾曲した首支持面の捻られた左右両端の部分における剛性が高められ、後方に曲がろうとする首に首支持面が対抗しやすくなって、首が後方に曲がろうとすることをよりよく抑制できる。
【００１４】
首支持面は、多数の開口を設けると、首背面に倣って左右に湾曲しやすくなるほか、首背面に倣って僅かに前後に湾曲しやすくなり、より密着した状態で首背面に添い、首が後方に曲がることをよりよく抑制できる。開口は、目安として１cm以下の円形又は長孔、首支持面に左右対称で設ける構成を基本とするが、大きさ、形状及び配置に限定はなく、開口が大きい又は密集している部分ほど弾性変形による湾曲が促される。このほか、開口は、密着する首支持面により蒸れやすくなる首背面に対する通気口として、前記蒸れを防止する働きもある。
【００１５】
また、首支持面は、保冷剤又は保温剤を着脱自在にすると、首背面に流れる血管を冷やして全身の熱を下げたり（保冷剤）、逆に前記血管を冷やし暖めて全身の熱を上げたりできる。首支持面は、首背面に密着させるので、前記首支持面に取り付ける保冷剤又は保温剤を首背面に流れる血管に近づけた状態を保持しやすい。また、首支持面は、弾性変形しているため、許容される首の前及び左右の動きに追随して、保冷剤又は保温剤を首背面に近づけた状態を維持しやすい。このように、頭部支持補助具を構成する首支持面は、首背面に宛てがう保冷剤又は保温剤の保持部材として好適である。
【００１６】
首支持面に対する保冷剤又は保温剤の着脱手段は、従来公知の各種手段を利用できる。例えば保冷剤又は保温剤は、首支持面に設けたスリットやポケットに挿入、保持させ、首支持面の弾性樹脂板を介して首背面に宛てがったり、首支持面に伸縮性生地に被せた袋と首支持面との間に保冷剤又は保温剤を挿入、保持させ、前記袋の伸縮性生地又は首支持面の弾性樹脂板を介して首背面に宛てがったりする。また、保冷剤又は保温剤に両面テープを設けたり、首支持面と保冷剤又は保温剤とに一対の面ファスナーの雄面及び雌面を設けてもよい。このように、保冷剤又は保温剤が首背面に直接触れないことが肝要である。
【００１７】
掛け回し面は、作業者の首周りから肩に向かって張り出す弾性樹脂板である緩衝面を設けるとよい。緩衝面は、本発明の頭部支持補助具を装着した作業者が、肩に重量物を担ぐ際、前記重量物と肩との間に作業着と共に介在し、肩及び重量物に倣って弾性変形し、前記肩及び重量物双方に対する接触面積を増やすことにより、肩に掛かる圧力を小さくして、肩の負担を軽減する。緩衝面は、掛け回し面と一体の弾性樹脂板であってもよいし、掛け回し面と別体の弾性樹脂板であってもよいが、掛け回し面との位置関係が特定されることにより、掛け回し面を首周りに掛け回すと、自ずと肩に向かって張り出す位置が特定されるようにする。
【００１８】
掛け回し面の端部を着脱自在にする構成は、例えばボタン及びボタン孔の組み合わせ、フック及びフック受けの組み合わせ、スナップボタンや面ファスナーが考えられる。好ましくは、掛け回し面は、一方の端部に掛合突起、他方の端部に掛合孔を設け、前記掛合突起を掛合孔に差し込む又は抜き取ることにより前記端部を着脱自在にするとよい。掛合突起及び掛合孔は、掛け回し面を構成する弾性樹脂板の一部を一体成形して得られる。掛合突起は、掛合孔の内周縁に掛合する鉤部分を設けた構成であればよく、弾性樹脂板の一部として弾性変形させ、掛合孔を通過させることにより、前記鉤部分を掛合孔の内周縁に掛合させる。
【発明の効果】
【００１９】
本発明の頭部支持補助具は、後方に傾いた頭部を、曲がった状態の首と共に支持することで前記首の負担を軽減するのではなく、そもそも首が曲がらないようにし、後方に傾いた頭部を前記首で支持させて、首の負担を軽減する。頭部は、あくまで首の直上に位置するため、頭部の重量が首でなく、首を支持する身体に加わるようになり、これも首の負担軽減に寄与している。また、首や肩に接触する首支持面及び掛け回し面が、いずれも弾性樹脂板で構成されるため、前記首や肩を傷つけない利点もある。
【００２０】
首支持面及び掛け回し面を一体の弾性樹脂板にすると、前記首支持面及び掛け回し面を一度の成形作業（例えば原板から型抜きにより製造する等）で構成できる製造上の利点を得る。また、首支持面及び掛け回し面の連結部分も弾性樹脂板で構成することができ、しかも継ぎ目を設けずに済むため、首支持面及び掛け回し面を弾性変形させたり、前記首支持面に対して掛け回し面を捻ったりした場合でも、応力の集中を避けることができ、各部の劣化や破損を回避できる利点を得る。
【００２１】
首支持面に設けた多数の開口は、首支持面が首背面に倣って密着しやすくなるように、前記首支持面の弾性変形にしやすさを調節する働きを有する。これにより、首支持面の弾性樹脂板が厚くて、そのままでは首背面に添いにくくても、多数の開口それぞれの大きさや配置を工夫することにより、首背面に添わせて密着させることができる。これは、首が後方に曲がることに対抗する厚みを持った首支持面の利用を可能にする効果を有する。また、多数の開口は、そのまま通気孔として機能し、首背面に首支持面を密着させることによる蒸れを防止する働きを有する等、多様な効果をもたらす。
【００２２】
首支持面に着脱する保冷剤又は保温剤は、本発明の頭部支持補助具が夏場や冬場の屋外で利用される場合、首背面を冷やす又は暖めて、作業者の全身の熱を下げたり、上げたりする働きを与える。また、掛け回し面に設けた緩衝面は、本発明の頭部支持補助具が重量物を肩に担ぐ現場で利用される場合、肩の負担を軽減する働きを与える。これらは、首の負担軽減を図る効果のほかにもたらされる効果のあることを意味し、本発明の頭部支持補助具の利用場面を増やしている。
【００２３】
掛け回し面の端部を着脱自在にする構成は、様々考えられるが、掛合突起及び掛合孔の組み合わせにすると、弾性樹脂板である掛け回し面の成形時に前記掛合突起及び掛合孔を同時に成形することができ、生産性を向上させる効果を得る。また、掛合突起は、鉤部分を掛合孔の内周縁に掛合させることで、掛け回し面の端部同士の連結を維持するところ、前記鉤部分の掛合は、掛け回し面が端部を遠ざける向きに最も外れにくくなるため、本発明の頭部支持補助具に好適な着脱手段であると言える。
【図面の簡単な説明】
【００２４】
【図１】本発明に基づく頭部支持補助具の一例を表す正面図である。
【図２】本例の頭部支持補助具を表す斜視図である。
【図３】首支持面に装着した袋に保冷剤を保持させた本例の頭部支持補助具の図１相当正面図である。
【図４】本例の頭部支持補助具を装着した作業者の正面図である。
【図５】本例の頭部支持補助具を装着した作業者の背面図である。
【図６】本例の頭部支持補助具を装着した作業者の側面図である。
【図７】本例の頭部支持補助具を装着し、更に作業着を着た作業者の正面図である。
【図８】本例の頭部支持補助具を装着し、更に作業着を着た作業者の背面図である。
【図９】本例の頭部支持補助具を装着し、更に作業着を着た作業者の側面図である。
【図１０】本例の頭部支持補助具を装着し、更に作業着を着た作業者が、上方を見上げた状態を表す図７相当正面図である。
【発明を実施するための形態】
【００２５】
以下、本発明を実施するための形態について図を参照しながら説明する。本例の頭部支持補助具１は、図１及び図２に見られるように、首支持面11と、左右一対の掛け回し面12,12と、各掛け回し面12から張り出す緩衝面121,121とが、１枚の発泡樹脂（発泡ポリエチレン）の弾性樹脂版から構成されている。頭部支持補助具１は、例えば作業者２の首22に巻き付けて装着でき（後継図４以下参照）、前記首22から取り外せば元の形に復元する弾性を備えていればよく、本例のように、発泡樹脂（発泡ポリエチレン）の厚さ５mmの弾性樹脂版で構成するとよい。本例の頭部支持補助具１は、左右対称な形状で裏表の別がなく、左右を反転しても利用できるリバーシブル仕様になっている。
【００２６】
首支持面11は、平行な上辺及び下辺を有する正面視略六角形で、左右両端の斜め下辺から、括れ（幅の狭い部分）124を介して、掛け回し面12が延びている。首支持面11の正面視形状や大きさは自由であるが、宛てがった首22が後方に曲がることを抑制する働きが首支持面11に求められるため、例えば本例のような正面視六角形状であるように、首背面221に宛てがう位置や大きさが、前記働きを満足する正面視形状や大きさであるとよい。本例の首支持面11は、首背面221の左右中心を上下に長く宛てがい、首22の左右の動きを妨げないように、首側面223に向かって宛てがう大きさを小さくするため、平行な上辺及び下辺を有する正面視略六角形としている。
【００２７】
また、本例の首支持面11は、弾性を備えた発泡樹脂（発泡ポリエチレン）の厚さ５mmの弾性樹脂版として、上述のように、首22が後方に曲がることを抑制する働きを発揮させながら、縦横２方向を向いた長孔や前記長孔の長さを直径とする円孔からなる開口111を多数設けることにより、首22の首背面221に倣って左右方向に曲がり、前記首背面221に密着して宛てがえるようにしている。首支持面11の左右方向の湾曲は、首支持面11が前後方向に曲がることを抑制し、首22が後方に曲がることを首支持面11が抑制する働きを発揮しやすくしている。多数の開口111は、通気口として、密着する首支持面11による蒸れを防止する働きもある。
【００２８】
掛け回し面12は、下方に凸な折れ曲りを有する屈曲した板状部分で、首支持面11との連結部分となる括れ124近傍から左右方向に対向して、正面視略扇状の緩衝面121を張り出している。掛け回し面12は、作業者２のインナーシャツ25と作業着24との間に挟まれて、頭部支持補助具１の作業者２に対する装着安定性を確保すると共に、首周りに掛け回した際、括れ124を挟んで首支持面11に対して大きく捻られることにより、左右方向に湾曲させた前記首支持面11で、首22が後方に曲がることを抑制できるようにする。
【００２９】
左方に突出する掛け回し面12は、端部に掛合突起122を、右方に突出する掛け回し面は、端部に掛合孔123をそれぞれ設けている。左右の掛け回し面12,12は、首支持面11を首背面211に宛てがった状態で首周りに掛け回し、首前面222で掛合孔123にさし込んだ掛合突起122を前記掛合孔123に掛合させることにより、端部を連結する（後継図４以下参照）。逆に、左右の掛け回し面12,12は、掛合孔123に差し込んでいる掛合突起122を前記掛合孔123から引き抜けば、連結が解除される。
【００３０】
掛合突起122は、左方に突出する掛け回し面12の延在方向軸線を挟む線対称な台形状で、下辺左右の角部が掛合孔123の内周縁に掛合させる鉤部分である。掛合孔123は、右方に突出する掛け回し面12の延在方向に凸な正面視三角形状である。掛合突起122は、掛合孔の内周縁に掛合する鉤部分を設けた構成であればよく、例示の形状に限定されない。掛合突起122は、弾性樹脂板である掛け回し面12の一部として弾性変形させることができ、丸めた状態で掛合孔123を通過させた後に復元させることにより、前記鉤部分を掛合孔123の内周縁に掛合させる。
【００３１】
本例の掛合突起122は、図１及び図２から明らかなように、右方に張り出した掛け回し面12と同じ円弧状外周縁を有する端部から端材を切除した残余として構成している。これにより、本例の頭部支持補助具１は、原材料の弾性樹脂版から、掛合突起122及び掛合孔123がなく、円弧状外周縁を有する端部を掛け回し面12に設けた弾性樹脂版を切り出した後、一方の端に掛合突起122を、他方の端部に掛合孔123を形成すれば製造できる。これは、本発明の頭部支持補助具１の生産性を高める利点となる。
【００３２】
緩衝面121は、掛け回し面12を首周りに掛け回した際、作業者２の肩23の上に張り出して（後継図６参照）、作業者２が担ぐ重量物と肩23との間に介在し、重量物による肩23の負担を軽減する。本例の緩衝面121は、首支持面11と掛け回し面12との境界にある括れ124近傍の前記掛け回し面12から張り出し、掛け回し面12を首周りに掛け回した際、自ずと作業者２の肩23の上に載るように形成されている。また、緩衝面121は、掛け回し面12同様、作業者２のインナーシャツ25と作業着24との間に挟まれて、頭部支持補助具１の作業者２に対する装着安定性を確保する働きもある。
【００３３】
このほか、本例の頭部支持補助具１は、図３に見られるように、伸縮性のあるメッシュ地からなる筒状の袋112を首支持面11に被せ、袋112と首支持面11との間に保冷剤113を保持させることにより、首背面221に流れる血管を冷やして全身の熱を下げることができる。袋112は、首支持面11を包んでいるから、保冷剤113を首支持面11の前面側又は背面側に保持させることができる。保冷剤113を首支持面11の前面側に保持させた場合、首22に直接触れないように、保冷剤113を布等にくるむとよい。保冷剤113を首支持面11の背面側に保持させた場合、保冷剤113が首支持面11を介して首22に間接的に触れるため、そのまま袋112に収納してもよい。
【００３４】
本例の頭部支持補助具１は、次のように装着し、利用する（図４以下は、図示の便宜上、開口111や袋112及び保冷剤113の図示を省略している）。作業者２は、上着である作業着24を着る前に、首支持面11を首背面221に宛てがった状態で、左右の掛け回し面12,12を首側面223から首前面221に掛け回し、左の掛け回し面12に設けられた掛合突起122（図４中左側）を、右の掛け回し面12に設けられた掛合孔123に差し込み、図４〜図６に見られるように、前記掛け回し面12,12を首前面222又は直下の胸の付近で連結する。本例の頭部支持補助具１は、左右の別のないリバーシブル仕様であるため、掛合突起122を有する掛け回し面12を右とし、掛合孔123を有する掛け回し面12を左としてもよい。
【００３５】
首周りに掛け回した掛け回し面12,12の端部を連結した状態では、頭部支持補助具１は押さえられていないので、自身が有する弾性により、首支持面11は必ずしも首背面221に密着しておらず、また掛け回し面12,12が胸から、緩衝面121が肩23から、それぞれ離れて浮いている（図４〜図６は、説明の便宜上、首支持面11が首背面221に、掛け回し面12,12が胸に、そして緩衝面121が肩23に倣って変形し、密着しているように図示している）。このため、作業着24を着ない段階では、頭部支持補助具１の首支持面11が首22の後方への曲がりを抑制できない。
【００３６】
こうして首周りに対して頭部支持補助具１を装着した状態で、作業者２が作業着24を着ると、図７〜図９に見られるように、首背面221に宛てがった首支持面11以外の掛け回し面12及び緩衝面121が作業者２のインナーシャツ25と作業着24との間に挟まれ、頭部支持補助具１の作業者２に対する装着安定性が確保される。また、インナーシャツ及び作業服24との摩擦により、頭部支持補助具１が位置ずれしにくくなる。そして、掛け回し面12は、首支持面11との境界である括れ124を捻って作業者２の身体又はインナーシャツ25に密着するため、首支持面11が首背面221に密着するよう左右に湾曲する。これにより、首支持面11は、首22が後方に曲がることを抑制する。
【００３７】
こうして、作業着24の下に頭部支持補助具１を装着した作業者２が、図10に見られるように上方を見上げた場合、首22が後方に曲がることを首支持面11が抑制しているため、作業者２の頭部21のみが後方に傾き、前記頭部21が首22の直上に位置することになる。これにより、首22で頭部21を支えることによる負担が軽減又は緩和される。作業者２が見上げることをやめて頭部を元に戻した場合、首22に押されて弾性変形していた首支持面11は復元し、まっすぐな首背面221に密着する状態に戻る（図９参照）。
【００３８】
首支持面11は、インナーシャツ25及び作業着24に掛け回し面12や緩衝面121が挟まれて位置固定された限度で、後方に曲がろうとする首22に対抗する。このため、例えば危険物を避けようとして首22を大きく後方へ曲げようとすると、頭部支持補助具１全体がずれ、前記首22の曲がりは許容される。このように、本発明の頭部支持補助具１は、通常作業において上方を見上げる場合に首22の曲がりを抑制しながら、過剰な首22の曲がりに逆らわず、首22を曲げること許容するため、首22を痛める心配がない。
【００３９】
このほか、本例の頭部支持補助具１は、上述したように、首支持面11に保冷剤113又は保温剤（図示略）を保持させて、首背面221に流れる血管を冷やしたり、暖めたりして作業者２全身の熱を下げる又は上げることができる。頭部支持補助具１は、作業者２が屋外作業時に使用することを想定しており、こうした保冷剤113又は保温剤の保持による冷房又は暖房は、作業環境の外気温による作業者２の負担を軽減する。このように、本発明の頭部支持補助具１は、首22の曲がりを抑制して肉体的な負担を軽減するだけでなく、体温調整の機能を付加して生理的な負担を軽減する効果を有する。
【符号の説明】
【００４０】
１  頭部支持補助具
11  首支持面
111  開口
112  袋（伸縮性生地）
113  保冷剤
12  掛け回し面
121  緩衝面
122  掛合突起
123  掛合孔
124  括れ
２  作業者
21  頭部
22  首
221  首背面
222  首前面
223  首側面
23  肩
24  作業着
25  インナーシャツ
【図１】
2016056458.tif 000003
【図２】
2016056458.tif 000004
【図３】
2016056458.tif 000005
【図４】
2016056458.tif 000006
【図５】
2016056458.tif 000007
【図６】
2016056458.tif 000008
【図７】
2016056458.tif 000009
【図８】
2016056458.tif 000010
【図９】
2016056458.tif 000011
【図１０】
2016056458.tif 000012